(57)【特許請求の範囲】
【請求項１】
ベールクランプの一方部の内側面に連接する連接面と反対のベールクランプの一方部の外側面に連接する挟持面を前記連接面と対応して外面に夫々配備すると共にベールクランプの他方部に刃先を対面する切断刀を装備する切断刀設置フレームからなるロール故紙切断装置において、前記切断刀設置フレーム（１ａ）は、切断刀（３）の刃先（３ａ）を先端より突出させて配備する横向支持部（１ａ１）と、該横向支持部（１ａ１）の基端を内面に接続し、外面にフォークリフトのベールクランプの一方部（２ａ）の内側面に連接する平面状の連接面（１ａ２１）と、前記連接面（１ａ２１）をベールクランプの一方部（２ａ）の内側面の定位置に規制する支架用位置決め部（１ａ２２）と、前記連接面（１ａ２１）に対応し、かつベールクランプの一方部（２ａ）の外側面を締付板（１６）により締付けて全体を固着装備する締付板機構（１ａ２３）が配備される縦向支持部（１ａ２）とからなるロール故紙切断装置。
【請求項２】
ベールクランプの他方部に対面し、ベールクランプの一方部の内側面に連接して配備される切断刀設置フレーム本体と、前記切断刀設置フレーム本体に連結し、ベールクランプの一方部の外側面に連接して挟持すると共に前記切断刀設置フレーム本体に連結する添接挟持フレームとから構成されるロール故紙切断装置において、前記切断刀設置フレーム本体は、切断刀を取付ける刃物台を設置する横向支持部と、該横向支持部を内面に接続し、フォークリフトのベールクランプの一方部の内側面に連接する連接面と、前端と後端との間の中央の上縁に上ブラケット部、下縁に下ブラケット部を夫々一体に突設し、上ブラケット部と下ブラケット部とに夫々開口する取付孔に挟持締付けボルトの一方部端をナットにより両側から締付けて上下に挟持締付けボルトが架設される縦向支持部とから設け、前記添接挟持フレームは、上下端に前記切断刀設置フレーム本体の上ブラケット部と下ブラケット部と対面する上軸受部と下軸受部を一体に突設して設け、該上軸受部の軸受孔と下軸受部の軸受孔に前記挟持締付けボルトの他端側を挿通し、他端側より螺合されたラチエットナットを上軸受部と下軸受部の外面に当てて夫々を回転し、前記切断刀設置フレーム本体とこの添接挟持フレームをフォークリフトのベールクランプの一方部に両側から締付け挟持して装備するロール故紙切断装置。
【発明の詳細な説明】
【技術分野】
【０００１】
この発明は、ロール状に巻回されているロール故紙の切断装置に関するものである。
【背景技術】
【０００２】
従来、故紙の切断は、特許文献１には、円筒形を有する外筒の内部に軸心を中心として回転駆動される螺旋状のスクリュウフィダーを設け、該スクリュウフィダーの一端側に外筒の一端を閉鎖する端板を設け、前記スクリュウフィダーの一端側端面部、該一端側端面部と対向する外筒の端板の内面、外筒の内周面に古紙を引掛ける引掛部材を取付けてなる古紙の粗砕装置が提案されている。
【０００３】
次に、特許文献２には、互いに対応して嵌合する凸刃部と凹受け刃部を夫々の周面に所要の間隔で設ける一対の第１ローラ及び第２ローラと、前記第１ローラ及び第２ローラの下流側に配置する一対のピンチローラと、複数の棒体を放射状に配置する一対の第１棒型破砕輪と第２棒型破砕輪とを配備し、シート状古紙を順次上流から下流に送り破砕する古紙破砕装置が提案されている。
【０００４】
次に、特許文献３には、内側に固定刃を備えた有底円筒ケーシングと、該有底円筒ケーシングの内壁との間にクリアランスを設けて周設した多孔スクリーンと、前記有底円筒ケーシングの軸中心に軸装され、前記固定刃と協働して切断、裂断する回転刃と、稼働中に内部の粉砕物を外部に吸引排出する吸引排出部とからなる縦型粗粉砕装置が提案されている。
【特許文献１】特開平５−４９９６３号公報
【特許文献２】特開平７−２８４６８２号公報
【特許文献３】特開２００７−１１１６３１号公報
【発明の開示】
【発明が解決しようとする課題】
【０００５】
前記従来の特許文献１、２、３に開示される故紙、古紙等の切断・破砕装置は、価格が高額であるばかりでなく、装置が大型であり、その据え付け面積が広く、そのうえ切断能力においても低いものである。
【０００６】
本発明は、係る従来の故紙、古紙等の切断・破砕装置の欠点を改善する目的で案出されたものである。
【課題を解決するための手段】
【０００７】
ベールクランプの一方部の内側面に連接する連接面と反対のベールクランプの一方部の外側面に連接する挟持面を前記連接面と対応して外面に夫々配備すると共にベールクランプの他方部に刃先を対面する切断刀を装備する切断刀設置フレームからなるロール故紙切断装置において、前記切断刀設置フレームは、切断刀の刃先を先端より突出させて配備する横向支持部と、該横向支持部の基端を内面に接続し、外面にフォークリフトのベールクランプの一方部の内側面に連接する平面状の連接面と、前記連接面をベールクランプの一方部の内側面の定位置に規制する支架用位置決め部と、前記連接面に対応し、かつベールクランプの一方部の外側面を締付板により締付けて全体を固着装備する締付板機構が配備される縦向支持部とからなるロール故紙切断装置にある。
【０００８】
ベールクランプの他方部に対面し、ベールクランプの一方部の内側面に連接して配備される切断刀設置フレーム本体と、前記切断刀設置フレーム本体に連結し、ベールクランプの一方部の外側面に連接して挟持すると共に前記切断刀設置フレーム本体に連結する添接挟持フレームとから構成されるロール故紙切断装置において、前記切断刀設置フレーム本体は、切断刀を取付ける刃物台を設置する横向支持部と、該横向支持部を内面に接続し、フォークリフトのベールクランプの一方部の内側面に連接する連接面と、前端と後端との間の中央の上縁に上ブラケット部、下縁に下ブラケット部を夫々一体に突設し、上ブラケット部と下ブラケット部とに夫々開口する取付孔に挟持締付けボルトの一方部端をナットにより両側から締付けて上下に挟持締付けボルトが架設される縦向支持部とから設け、前記添接挟持フレームは、上下端に前記切断刀設置フレーム本体の上ブラケット部と下ブラケット部と対面する上軸受部と下軸受部を一体に突設して設け、該上軸受部の軸受孔と下軸受部の軸受孔に前記挟持締付けボルトの他端側を挿通し、他端側より螺合されたラチエットナットを上軸受部と下軸受部の外面に当てて夫々を回転し、前記切断刀設置フレーム本体とこの添接挟持フレームをフォークリフトのベールクランプの一方部に両側から締付け挟持して装備するロール故紙切断装置としてもよいものである。
【発明の効果】
【０００９】
本発明のロール故紙切断装置は、前述のようになるから、軽量化を図り、かつ十分な剛性と強度を具備し、価格が低額であり、既存のフォークリフトが利用できて小型であり、その据付け面積は非常に狭く、そのうえ驚異的高性能の切断能力を発揮するものである。
【発明を実施するための最良の形態】
【００１０】
フォークリフトのベールクランプの一方部の内側面に連接する一定の面積と剛性を具える連接面が外面に配備され、その内面には、上下中間に基端が接続し、長方形の水平支承面架台部を一体に突設し、この長方形の水平支承面架台部に、その先端縁より刃先をベールクランプの他方部に向けて切断刀を支架配備し、反対の外面には、その上縁又は上縁寄りにベールクランプの一方部の上端面に係合し、定位置に支架する係合部を形成し、かつ、ベールクランプの一方部の外側面を挟持し、フレーム本体の全体をフォークリフトのベールクランプの一方部に装備するための締付板を進退自在に配備する締付板機構を設けてなるロール故紙切断装置。
【実施例】
【００１１】
本発明のロール故紙切断装置は、既存の運搬用のフォークリフトを利用するものであって、フォークリフトのベールクランプの一方部に切断刀を配備し、ベールクランプの他方部との間にロール故紙を置き、ベールクランプの挟持力によりロール故紙を切断することを特徴するものである。
【００１２】
以下、本発明のロール故紙切断装置について、図１〜図１０に示す第１実施例のロール故紙切断装置１により説明すると、この第１実施例のロール故紙切断装置１は、フォークリフトのベールクランプの一方部２ａに、ベールクランプの他方部２ｂに対面して切断刀３が配備される切断刀設置フレーム１ａから構成される。
【００１３】
前記切断刀設置フレーム１ａは、前記切断刀３の刃先３ａを先端より突出させて配備する横向支持部１ａ１と、該横向支持部１ａ１の基端を内面の上下中途位置に接続し、フォークリフトのベールクランプの一方部２ａの内側面に連接する外面とフォークリフトのベールクランプの一方部２ａの外側面に連接する締付板が配備される縦向支持部１ａ２とから構成される。
【００１４】
前記横向支持部１ａ１は、図示のように、後端側ブラケット部４ａと前端側ブラケット部４ｂを配してそれらの上面には、先端側に刃物台５、その内側と基端との間に支板６を溶着している。
【００１５】
前記後端側ブラケット部４ａと前端側ブラケット部４ｂの夫々の内天井面には裏付け補強リブ７ａ、７ｂを溶着している。また、後端側ブラケット部４ａと前端側ブラケット部４ｂに対応する横向支持部１ａ１の基端と縦向支持部１ａ２の接続面には、基端補強リブ８ａ、８ｂを溶着している。
【００１６】
前記切断刀３は、図５及び図６に示すように構成し、取付用ネジ孔９を設けている。
【００１７】
前記刃物台５は、図１、図３、図７及び図８に示すように構成し、取付ボルト１０を嵌合する頭受座１１ａを具えた頭受座付き取付孔１１を前記前記切断刀３の取付用ネジ孔９との対応位置に設けている。
【００１８】
前記切断刀３の刃物台５への取付けは、図４及び図７において明らかなように、切断刀３の平面部３ｂを上面に傾斜面部３ｃを下方から上向き面に配備して交換自在に取付けている。
【００１９】
前記縦向支持部１ａ２の外面には、フォークリフトのベールクランプの一方部２ａの内側面に連接する平面状の連接面１ａ２１と、その連接面１ａ２１をベールクランプの一方部２ａの定位置に規制する支架用位置決め部１ａ２２と、前記連接面１ａ２１に対応し、ベールクランプの一方部２ａの外側面を締付けて切断刀設置フレーム１ａの全体を固着装備する締付板１６を備えた締付板機構１ａ２３が配備される。
【００２０】
前記縦向支持部１ａ２は、主として図２及び図４に示すように、コ字型鋼を所要に裁断して形成される後端縦向支枠１２ａ、中央縦向支枠１２ｂ、前端縦向支枠１２ｃ、後端縦向支枠１２ａと中央縦向支枠１２ｂの間に溶着差し渡す後端側横向支枠１２ｄ及び中央縦向支枠１２ｂと前端縦向支枠１２ｃの間に溶着差し渡す前端側横向支枠１２ｅとから構成され、その外面が前記平面状の連接面１ａ２１に形成される。なお、前記後端側横向支枠１２ｄに裏付け補強リブ１２ｄ１を溶着し、前記前端側横向支枠１２に裏付け補強リブ１２ｅ１を溶着してもよいものである。
【００２１】
前記後端縦向支枠１２ａの上端面には上向き立体交差リブ１３ａ１１を立設する後端側上端面用補強板１３ａ１が、前端縦向支枠１２ｃの上端面には上向き立体交差リブ１３ａ２１を立設する前端側上端面用補強板１３ａ２が夫々連接溶着され、同じく、反対の後端縦向支枠１２ａの下端面には下向き立体交差リブ１３ｂ１１を立設する後端側下端面用補強板１３ｂ１が、前端縦向支枠１２ｃの下端面には下向き立体交差リブ１３ｂ２１を立設する前端側下端面用補強板１３ｂ２が夫々連接溶着され、全体の剛性と強度を補助している。
【００２２】
前記縦向支持部１ａ２の前後、略１／２の中間位置、すなわち、実施例では、中央縦向支枠１２ｂに対面する縦向締付保持支枠１４ａを具えるコ字型締付保持支枠部１４が、その上側締付保持支枠１４ｂの先端内面と下側締付保持支枠１４ｃの先端内面を夫々縦向支持部１ａ２の上端面と下端面、すなわち、実施例では、中央縦向支枠１２ｂの上端面と下端面に連接溶着して配備される。
【００２３】
前記締付板機構１ａ２３は、前記縦向締付保持支枠１４ａの外面の上下中間にネジ座１５を、例えば、ナットを溶着して設け、滑り止１６ａ付きの締付板１６を、自在継手部１７を介して先端に連結する締付ボルト１８を前記ネジ座１５に螺合して進退自在に構成され、ロックナット１９は、締付ボルト１８を縦向締付保持支枠１４ａに対して調整位置に固定する。
【００２４】
前記自在継手部１７は、前記締付板１６と一体のスラスト受座１７ａと、締付ボルト１８の先端球状部１８ａを前記スラスト受座１７ａの玉受面１７ａ１に嵌合した後、先端球状部１８ａをスラスト受座１７ａから外れないように支える蓋板１７ｂから構成され、蓋板１７ｂは、図示しないが、分割して構成され、内径を先端球状部１８ａの外径より小径にでき、ネジ１７ｃによりスラスト受座１７ａに固着される。
【００２５】
本発明の第１の実施例のロール故紙切断装置１は、前述のように構成されるから、切断刀設置フレーム１ａとコ字型締付保持支枠部１４との間にフォークリフトのベールクランプの一方部２ａを、切断刀３の刃先をベールクランプの他方部２ｂに対面させた状態で差し入れ、切断刀設置フレーム１ａの支架用位置決め部１ａ２２を一方部２ａの上縁２ａ１に連接して切断刀設置フレーム１ａを載架状態で、切断刀設置フレーム１ａの連接面１ａ２１をベールクランプの一方部２ａの内側面に接面し、この状態で締付けフレーム１４の締付けボルト１８を回転して締付板１６を繰り出して一方部２ａの外側面を締付け、所定の締付け位置でロックナット１９によりロックし、切断刀設置フレーム１ａをベールクランプの一方部２ａに装備する。
【００２６】
次に、架台４０にセットしたロール故紙２０に対してフォークリフトを移動させ、ベールクランプの一方部２ａとベールクランプの他方部２ｂに挟持作動させると、ベールクランプの一方部２ａの切断刀３をベールクランプの他方部２ｂに支えられるロール故紙２０に当て長尺故紙から短尺故紙に切断することができる。
【００２７】
前記切断時に切断刀３は、平面部３ｂが上面に、傾斜面部３ｃが下面に位置して上向き状態にあるから、切断切り屑を下方へ誘導し、切断部を押し開き、スムーズに切断することができる。
【００２８】
前記フォークリフトのベールクランプの挟持作動は、リフトオペレーターのレバー操作により行うことができ、切断刀３のロール故紙２０に当てる位置についてもベールクランプのリフト操作で自由に決めることができるものである。
【００２９】
次に、図１１〜図１５に示す第２実施例のロール故紙切断装置２１により説明すると、この第２実施例のロール故紙切断装置２１は、第１実施例のロール故紙切断装置１と同様に、フォークリフトのベールクランプの一方部２２ａに装備され、ベールクランプの他方部２２ｂに対面して切断刀２３が配備され、フォークリフトのベールクランプの一方部２２ａの内側に配備される切断刀設置フレーム本体２１ａとベールクランプの一方部２２ａの外側に配備される添接挟持フレーム２１ｂとから構成される。
【００３０】
前記切断刀設置フレーム本体２１ａは、切断刀２３を取付ける刃物台２４を設置する横向支持部２１ａ１と該横向支持部２１ａ１を内面の上下中途位置に接続し、フォークリフトのベールクランプの一方部２２ａの内面に連接する縦向支持部２１ａ２とから設け、その縦向支持部２１ａ２の中央の上縁に上ブラケット部２６、下縁に下ブラケット部２７を夫々一体に突設し、上ブラケット部２６と下ブラケット部２７とに夫々開口する取付孔２８、２９に挟持締付けボルト３０、３０の一方部端をナット３１、３１により両側から締付けて上下に挟持締付けボルト３０、３０が架設される。
【００３１】
前記添接挟持フレーム２１ｂは、上下端に前記切断刀設置フレーム本体２１ａの上ブラケット部２６と下ブラケット部２７と対面する上軸受部３２と下軸受部３３を一体に突設し、該上軸受部３２の軸受孔３４と下軸受部３３の軸受孔３５に前記挟持締付けボルト３０、３０の他端側を挿通し、他端側より螺合されたラチエットナット３６、３６を上軸受部３２と下軸受部３３の外面に当てて夫々回転し、前記切断刀設置フレーム本体２１ａとこの添接挟持フレーム２１ｂをフォークリフトのベールクランプの一方部２２ａに両側から締付け挟持して装備するものである。
【００３２】
前記切断刀設置フレーム本体２１ａの刃物台２４上には、第１実施例のロール故紙切断装置１と同様に、切断刀２３を取付ボルト１０により取付けている。
【００３３】
前記切断刀２３は、第１の実施例のロール故紙切断装置１と同様に構成している。
【００３４】
切断刀カバー３７は、その基端を蝶番継手３８により反転自在に刃物台２４に配備してもよいものである。また、横向支持部２１ａ１の基端上面と縦向支持部２１ａ２の内面との接続部には基端補強リブ３９が配備される。
【００３５】
本発明の第２実施例のロール故紙切断装置２１は、前述のように構成されるから、切断刀設置フレーム本体２１ａと添接挟持フレーム２１ｂの対面間を空けた状態に置き、その対面間にフォークリフトのベールクランプの一方部２２ａを、切断刀２３の刃先をベールクランプの他方部２２ｂに対面させた状態で差込み、切断刀設置フレーム本体２１ａの支架用位置決め部２５にベールクランプの一方部２２ａの上縁２２ａ１に連接した状態で、上下のラチエットナット３６、３６を締付けてベールクランプの一方部２２ａに装備するものである。
【００３６】
次に、本発明の第２実施例のロール故紙切断装置２１の切断作業は、第１実施例のロール故紙切断装置１と同様である。
【産業上の利用可能性】
【００３７】
本発明のロール故紙切断装置及び切断方法は、前述のようになるから、設備費が低価格であり、既存のフォークリフトが利用できて小型であり、その据付け場所をとらないので工場の片隅に置くことができ、そのうえ高性能の切断能力を発揮し産業界に寄与するものである。
【図面の簡単な説明】
【００３８】
【図１】本発明の第１実施例のロール故紙切断装置の正面図である。
【図２】同じく側面図である。
【図３】同じく平面図である。
【図４】同じくコ字型締付保持支枠部を省略した側面図である。
【図５】同じく切断刀単体の平面図ある。
【図６】同じく拡大端面図ある。
【図７】同じく切断刀取付け台単体の平面図である。
【図８】同じく端面図ある。
【図９】同じくフォークリフトのベールクランプの一方部に装備する締付固定板の締め付け機構を示す一部断面部分側面図である。
【図１０】同じくロール故紙切断装置の第１実施例の使用状態を説明する正面図である。
【図１１】本発明の第２実施例のロール故紙切断装置の正面図である。
【図１２】同じく側面図である。
【図１３】同じく平面図である。
【図１４】同じく切断刀設置フレームの正面図である。
【図１５】同じく添接挟持フレームの正面図である。
【符号の説明】
【００３９】
１  第１実施例のロール故紙切断装置
１ａ  切断刀設置フレーム
１ａ１  横向支持部
１ａ２  縦向支持部
１ａ２１  連接面
１ａ２２  支架用位置決め部
１ａ２３  締付板機構
２ａ  ベールクランプの一方部
２ａ１  上縁
２ｂ  ベールクランプの他方部
３  切断刀
３ａ  刃先
３ｂ  平面部
３ｃ  傾斜面部
４ａ  後端側ブラケット部
４ｂ  前端側ブラケット部
５  刃物台
６  支板
７ａ  裏付け補強リブ
７ｂ  裏付け補強リブ
８ａ  基端補強リブ
８ｂ  基端補強リブ
９  取付用ネジ孔
１０  取付ボルト
１１  頭受座付き取付孔
１１ａ  頭受座
１２ａ  後端縦向支枠
１２ｂ  中央縦向支枠
１２ｃ  前端縦向支枠
１２ｄ  後端側横向支枠
１２ｄ１  裏付け補強リブ
１２ｅ  前端側横向支枠
１２ｅ１  裏付け補強リブ
１３ａ１  後端側上端面用補強板
１３ａ１１  上向き立体交差リブ
１３ａ２  前端側上端面用補強板
１３ａ２１  上向き立体交差リブ
１３ｂ１  後端側下端面用補強板
１３ｂ１１  下向き立体交差リブ
１３ｂ２  前端側下端面用補強板
１３ｂ２１  下向き立体交差リブ
１４  コ字型締付保持支枠部
１４ａ  縦向締付保持支枠
１４ｂ  上側締付保持支枠
１４ｃ  下側締付保持支枠
１５  ネジ座
１６  締付板
１６ａ  滑り止
１７  自在継手部
１７ａ  スラスト受座
１７ａ１  玉受面
１７ｂ  蓋板
１７ｃ  ネジ
１８  締付ボルト
１８ａ  先端球状部
１９  ロックナット
２０  ロール故紙
２１  第２実施例のロール故紙切断装置
２１ａ  切断刀設置フレーム本体
２１ａ１  横向支持部
２１ａ２  縦向支持部
２１ｂ  添接挟持フレーム
２２ａ  ベールクランプの一方部
２２ａ１  上縁
２２ｂ  ベールクランプの他方部
２３  切断刀
２４  刃物台
２５  支架用位置決め部
２６  上ブラケット部
２７  下ブラケット部
２８  取付孔
２９  取付孔
３０  挟持締付けボルト
３１  ナット
３２  上軸受部
３３  下軸受部
３４  軸受孔
３５  軸受孔
３６  ラチエットナット
３７  切断刀カバー
３８  蝶番継手
３９  基端補強リブ
４０  架台
【図１】
0005281820.tif 000002
【図２】
0005281820.tif 000003
【図３】
0005281820.tif 000004
【図４】
0005281820.tif 000005
【図５】
0005281820.tif 000006
【図６】
0005281820.tif 000007
【図７】
0005281820.tif 000008
【図８】
0005281820.tif 000009
【図９】
0005281820.tif 000010
【図１０】
0005281820.tif 000011
【図１１】
0005281820.tif 000012
【図１２】
0005281820.tif 000013
【図１３】
0005281820.tif 000014
【図１４】
0005281820.tif 000015
【図１５】
0005281820.tif 000016